(57)【特許請求の範囲】
【請求項１】
複数のローラに張架されて表面が所定の経路に沿って移動するよう駆動されるベルト駆動装置に用いるエンドレスベルトにおいて、
上記ベルト駆動装置により駆動される際の上記エンドレスベルトの蛇行防止のために蛇行防止用ガイドをベルト表面移動方向に直交する方向のベルト端部に有するものであって、
上記エンドレスベルトの内周面における上記蛇行防止用ガイドのベルト表面移動方向の継ぎ目部に、該継ぎ目部を補強する補強部材を、該エンドレスベルトと該蛇行防止用ガイドとの間に位置するように設けたことを特徴とするエンドレスベルト。
【請求項２】
複数のローラに張架されて表面が所定の経路に沿って移動するようエンドレスベルトを駆動するベルト駆動装置において、
該ベルト駆動装置により上記請求項１のエンドレスベルトを駆動することを特徴とするベルト駆動装置。
【請求項３】
請求項２のベルト駆動装置において、
上記エンドレスベルトに設けた補強部材のベルト表面移動方向における位置を検知する位置検知手段を設けたことを特徴とするベルト駆動装置。
【請求項４】
請求項３のベルト駆動装置において、
上記エンドレスベルトに設けた補強部材に、ベルト表面移動方向に直交する方向のベルト端部からはみ出した突起部を形成し、上記位置検知手段により該突起部を検知するようにしたことを特徴とするベルト駆動装置。
【請求項５】
像担持体表面に潜像を形成する潜像形成手段と、該像担持体表面の潜像を可視像化する現像手段と、該現像手段により形成された可視像を記録体に転写する転写手段とを有し、かつ、表面に潜像又は所定の物質を担持するエンドレスベルトをベルト駆動装置により所定の経路に沿って移動するよう駆動して該潜像又は所定の物質を搬送するベルト搬送手段を少なくとも１つ以上有する画像形成装置において、
上記ベルト搬送手段に用いるベルト駆動装置として、請求項２、３又は４のベルト駆動装置を用いたことを特徴とする画像形成装置。
【発明の詳細な説明】
【０００１】
【発明の属する技術分野】
本発明は、複数のローラに張架されて表面が所定の経路に沿って移動するよう駆動されるベルト駆動装置に用いるエンドレスベルト、及び、ベルト駆動装置、又は、複写機、ファクシミリ、プリンター等の画像形成装置の感光体ベルト、中間転写ベルト等の担持搬送装置として上記ベルト駆動装置を用いた画像形成装置に関するものである。
【０００２】
【従来の技術】
従来、エンドレスベルトを複数のローラに張架し、このエンドレスベルトを所定の経路に沿って移動するよう駆動するベルト駆動装置としては、ローラの１つが駆動源となって回転し、このローラの回転力によってエンドレスベルトを駆動するものがある。この場合、個々のローラの真円度や真直度、又ローラ間の平行度、或いはエンドレスベルトの幅方向における各地点でのベルト周長などにおいて機械的な誤差があると、ベルトを駆動する際に良好に駆動されず蛇行したり、ベルト幅方向の一方に寄ったりする。
【０００３】
また、複写機、ファクシミリ、プリンター等の画像形成装置における感光体ベルトや中間転写ベルト等の担持体においては、上記のように蛇行や寄りが生じると、ベルト表面に担持している画像自体に影響し、例えば、画像のずれやムラ等の不具合が発生してしまう。
【０００４】
画像形成装置の上記不具合を解消するための対策として、現在、エンドレスベルトに、そのベルトを張架しているローラのエッジやローラ端部のフランジに突き当たるガイドを設け、エンドレスベルトの表面移動方向に直交する方向での予期せぬずれを規制するものが知られている。
【０００５】
例えば、特開平１０−０６３１４０号公報においては、両側縁側の内周面に蛇行防止用のビートが付設されたベルト状感光体において、ロールの角部に接触する側の上記各ビートの端面を、ビートの内周側に向かうに従い互いに離間する傾斜面に形成し、ビートがロールに乗り上げないようにして、ベルト状感光体の側縁部分が一時的に折れ曲がったり、表面の感光層におけるクラック（亀裂）が発生したりすることを防止するものが提案されている。
【０００６】
【発明が解決しようとする課題】
ところが、上記ガイドを設けたエンドレスベルトを用いたベルト駆動装置においては、蛇行や寄りの生じない駆動は可能であるが、エンドレスベルトにクラックが発生してしまうことがわかった。
クラックの発生原因については、次のようなことが考えられる。画像形成装置の中間転写ベルトなどに使用されるエンドレスベルトの材質は一般的にポリイミド、ポリアリレート、フッ素系樹脂などにカーボンブラックを分散して所望の抵抗値に形成した硬めのベルトが使用されており、蛇行防止用のガイドはベルト全周に渡って設けているが、ベルト周上の一カ所でガイドの継ぎ目が存在している。
このように硬めのエンドレスベルトに上記ガイドを設けたものにおいては、複数本のローラで張架されて所定の経路に沿って移動するよう駆動され続けるうちに、ローラとローラとの間に張架された平面部とローラに巻き付いた曲面部との間で屈曲と伸張を繰り返す。このため、ガイドの継ぎ目近傍のベルト部分にストレスがかかりクラックが生じてしまうのである。更に、クラックの発生部分からベルトが破れてしまう恐れもある。
【０００７】
本発明は以上の問題点に鑑みなされたものであり、その目的とするところは、蛇行や寄りの発生を防止するためのガイドを設けたエンドレスベルトのベルト駆動によるクラックの発生を防止できるエンドレスベルト、該エンドレスベルトのベルト駆動装置及び該ベルト駆動装置を用いた画像形成装置を提供することである。
【０００８】
【課題を解決するための手段】
上記目的を達成するために、請求項１のエンドレスベルトは、複数のローラに張架されて表面が所定の経路に沿って移動するよう駆動されるベルト駆動装置に用いるエンドレスベルトにおいて、上記ベルト駆動装置により駆動される際の上記エンドレスベルトの蛇行防止のために蛇行防止用ガイドをベルト表面移動方向に直交する方向のベルト端部に有するものであって、上記エンドレスベルトの内周面における上記蛇行防止用ガイドのベルト表面移動方向の継ぎ目部に、該継ぎ目部を補強する補強部材を、該エンドレスベルトと該蛇行防止用ガイドとの間に位置するように設けたことを特徴とするものである。
請求項１のエンドレスベルトにおいては、エンドレスベルトに設けた蛇行防止用ガイドのベルト表面移動方向における継ぎ目部を補強部材で補強し、エンドレスベルトがローラとローラとの間に張架された平面部とローラに巻き付いた曲面部との間で屈曲と伸張を繰り返しても、上記継ぎ目部の屈伸が他の部分に比して大きくならないようにし、継ぎ目部に対応するベルト部分にストレスが集中しないようにする。しかも、請求項１のエンドレスベルトにおいては、ガイドの継ぎ目部を補強する補強部材をベルトの内周面に設け、更にその内周面に蛇行防止用ガイドを設け、これによって、補強部材とエンドレスベルトとの間に異物が浸入しにくくして補強部材を剥がれにくくしている。
請求項２のベルト駆動装置は、複数のローラに張架されて表面が所定の経路に沿って移動するようエンドレスベルトを駆動するベルト駆動装置において、該ベルト駆動装置により上記請求項１のエンドレスベルトを駆動することを特徴とすることを特徴とするものである。
請求項２のベルト駆動装置においては、ベルト駆動を行うことによってエンドレスベルトが、ローラとローラとの間に張架された平面部とローラに巻き付いた曲面部との間で屈曲と伸張を繰り返しても、継ぎ目部に対応するベルト部分にストレスが集中しない。しかも、ガイドの継ぎ目部を補強する補強部材をベルトの内周面に設け、更にその内周面に蛇行防止用ガイドを設けているので、補強部材とエンドレスベルトとの間に異物が浸入しにくく補強部材が剥がれにくい。
請求項３のベルト駆動装置は、請求項２のベルト駆動装置において、上記エンドレスベルトに設けた補強部材のベルト表面移動方向における位置を検知する位置検知手段を設けたことを特徴とするものである。
請求項３のベルト駆動装置においては、位置検知手段で補強部材のエンドレスベルトのベルト表面移動方向における位置を検知する。
請求項４のベルト駆動装置は、請求項３のベルト駆動装置において、  上記エンドレスベルトに設けた補強部材に、ベルト表面移動方向に直交する方向のベルト端部からはみ出した突起部を形成し、上記位置検知手段により該突起部を検知するようにしたことを特徴とするものである。
ここで、上記位置検知手段としては、例えば、フォトインタラプタを用いて突起部を検知する方法等がある。
特に、請求項４のベルト駆動装置においては、ベルト表面移動方向に直交する方向のベルト端部からはみ出した突起部を位置検知手段で検知することによって、ベルト表面移動方向における位置を検知する。
請求項５の画像形成装置は、像担持体表面に潜像を形成する潜像形成手段と、該像担持体表面の潜像を可視像化する現像手段と、該現像手段により形成された可視像を記録体に転写する転写手段とを有し、かつ、表面に潜像又は所定の物質を担持するエンドレスベルトをベルト駆動装置により所定の経路に沿って移動するよう駆動して該潜像又は所定の物質を搬送するベルト搬送手段を少なくとも１つ以上有する画像形成装置において、上記ベルト搬送手段に用いるベルト駆動装置として、請求項２、３又は４のベルト駆動装置を用いたことを特徴とするものである。
ここで、上記所定の物質としては、上記現像手段により形成された可視像や、可視像が転写される転写材等が考えられる。
請求項５の画像形成装置においては、該潜像又は所定の物質を搬送するベルト搬送手段に請求項２、３又は４のベルト駆動装置を用いることによって、クラックのないエンドレスベルト上に該潜像又は所定の物質を担持して搬送できるようにする。
【００２０】
【発明の実施の形態】
以下、本発明を画像形成装置である電子写真複写機に適用した一実施形態について説明する。
以下、本発明を湿式画像形成装置である湿式電子写真複写機（以下単に「複写機」という）に適用した一実施形態について説明する。
まず、本実施形態に係る複写機の概略について説明する。図１は、本実施形態に係る複写機の要部概略構成図である。潜像担持体としての感光体ドラム１０の回りに、帯電ローラ２０、光書込ユニット３０、現像ユニット４０、中間転写ベルト５０、感光体ドラムクリーニングユニット６０等が配設されている。そして、上記中間転写ベルト５０に対向し、最終転写材としての図示しない転写紙に現像像を転写するための転写手段として二次転写ローラ７０、及び、中間転写ベルトクリーニングユニット５１も配設されている。また、現像ユニット４０は、感光体ドラム１０の回りにイエロー現像ユニット４０Ｙ、ブラック現像ユニット４０Ｂ、マゼンタ現像ユニット４０Ｍ、シアン現像ユニット４０Ｃが配設され、この現像ユニット４０は図示しないソレノイド等の駆動手段によって、感光体ドラム１０に対して接離可能に構成されている。
【００２１】
潜像担持体としての感光体ドラム１０は、図示しないモータ等の駆動手段によって複写時には一定速度で矢印方向に回転駆動される。そして帯電ローラ２０により暗中にて一様に帯電された後に、光書込ユニット３０により、画像情報に基づいて書込光が照射結像されて静電潜像が感光体ドラム１０上に形成される。この画像情報は所望のフルカラー画像をイエロー、マゼンタ、シアン、及び黒の色情報に分解した単色の画像情報である。そして、感光体ドラム１０上に形成された静電潜像に応じて所定の色の現像ユニット４０Ｙ、４０Ｂ、４０Ｍ、４０Ｃが感光体ドラム１０に当接するように制御され、各々所定のイエロー、マゼンタ、シアン、及び黒トナーで現像され、感光体ドラム１０上に各色画像が形成される。感光体ドラム１０上に形成された各色画像は、感光体ドラム１０と等速駆動されている中間転写体としての中間転写ベルト５０上に、イエロー、マゼンタ、シアン、及び黒の単色毎、順次重ねて一次転写される。中間転写ベルト５０上に重ね合わされたイエロー、マゼンタ、シアン、及び黒の画像は、給紙カセット８０から転写部に搬送された図示しない転写紙に、二次転写ローラ７０により一括転写される。そして、転写終了後、この図示しない転写紙は定着ユニット９０により定着され、排紙トレイ９１に排紙される。
【００２２】
なお、中間転写ベルト５０上に転写されなかった感光体ドラム１０上の現像液は、感光体ドラムクリーニングユニット６０により感光体ドラム１０から除去される。また、中間転写ベルト５０上の残存現像液は、中間転写ベルトクリーニングユニット５１のブレード５２により除去される。その後、感光体ドラム１０の表面は図示しない除電ランプにより残留電位が除去されて次の複写に備えられる。
【００２３】
図２は、中間転写ベルト５０の斜視図である。本実施形態の中間転写ベルト５０はエンドレスベルトで、その材質は、ポリイミド、ポリアリレート、フッ素系などの樹脂にカーボンブラックを分散し、所定の抵抗値に調整済みである。また、厚みが０．０５〜０．１５ｍｍ程度の薄いものを使用している。
そしてこの中間転写ベルト５０には、蛇行防止用のガイド５４が、ベルト幅方向両端部の内周面に接着されている。このガイド５４は、ウレタン等のゴムの材質から成り、厚みが０．５〜１．０ｍｍ程度で、エンドレスではなく一本の細長い帯状のものを中間転写ベルト５０内周面に沿って接着しており、その端部同士が向かい合って継ぎ目５４ａを形成している。
この中間転写ベルト５０は、図１のように複数のローラ５３ａ、ｂ、ｃ、ｄを有するベルト駆動装置４５のローラに張架されて、このうち駆動ローラの駆動によって、矢印Ａ方向に駆動される。上記ガイド５４は、中間転写ベルト５０を張架しているローラ５３ａ、ｂ、ｃ、ｄのエッジやローラ端部のフランジに突き当たることによって、中間転写ベルト５０の表面移動方向に直交する方向での予期せぬずれを規制し、中間転写ベルト５０の蛇行や寄りを防止している。
しかしながら、中間転写ベルト５０はローラとローラとの間に張架された平面部とローラに巻き付いた曲面部との間で屈曲と伸張を繰り返す。このとき、ガイド５４の途切れている継ぎ目近傍のベルト部分に集中的に屈伸が繰り返されるため、この部分にクラックが入り次第に破れてしまう。本実施形態の複写機は、この中間転写ベルト５０のクラックを防止するための構成を有している。次に、本実施形態の特徴部を説明する。
【００２４】
図３は、ガイド５４の継ぎ目部近傍の部分拡大図である。この図において、継ぎ目を補強する補強部材５５として、中間転写ベルト５０の外周面側で継ぎ目部に対向する位置に、この継ぎ目部からベルト長手方向の両側に所定の長さだけ延在する樹脂製のフィルムから成る補強部材５５ａを中間転写ベルト５０に貼り付けている。この補強部材５５ａは、厚みが、０．０５〜０．２ｍｍ程度で、材料として例えばＰＥＴ、テフロン、ポリイミドなどを使用することができる。
【００２５】
このように、ガイド５４の継ぎ目部近傍の中間転写ベルト５０に補強部材５５ａを貼り付ければ、中間転写ベルト５０が駆動によって屈伸を繰り返しても、継ぎ目部に対応する中間転写ベルト５０部分にストレスが集中せず、中間転写ベルト５０のクラックの発生を防止することができる。これにより、中間転写ベルト５０の寿命を延ばすことができる。
【００２６】
図４は、補強部材５５の第１の変形例にかかる平面図である。この例では、補強部材５５ａを、中間転写ベルト５０の内周面側に張り付け、更にその内周側にガイド５４の端部が乗り上げるようになっている。
このように補強部材５５ｂを中間転写ベルト５０の内周面に設けると、中間転写ベルト５０の画像を担持しない側に補強部材５５ｂを貼り付けているので、補強部材５５ｂと中間転写ベルト５０との間にトナーなどの異物が浸入しにくくなるため補強部材５５ｂが剥がれにくくなる。これによって、補強部材５５ｂの耐久性を向上させることができる。
【００２７】
また、この補強部材５５ｂの表面は、位置検知手段としての反射型フォトインタラプタ５６の仕様を満足する反射率を有しており、中間転写ベルト５０の駆動時におけるベルト表面移動方向の位置検出用マーカーの役割も有するようになっている。補強部材５５ｂを反射型フォトインタラプタ５６による検出を可能にする方法としては、例えば、補強部材５５ｂの材料自体に白い樹脂フィルムを用いたり、補強部材５５ｂの表面に反射率の高い塗料を塗布、或いは反射率の高いインクを印刷したりすることがある。また、中間転写ベルトのベルト駆動装置４５には、中間転写ベルト５０の内周面に対向する所定の位置に反射型フォトインタラプタ５６が設けられている。
中間転写ベルト５０が駆動されて、反射型フォトインタラプタ５６に対向する位置に補強部材５５ｂ到達すると、カーボンブラックが分散された反射率の低い中間転写ベルト５０及びガイド５４に対して補強部材５５ｂの反射率が高いため、反射型フォトインタラプタ５６の光が反射され位置が検出される。このように補強部材５５ｂの反射率をガイド５４や中間転写ベルト５０に比して高めることによって、補強部材５５ｂを位置検出用マーカーとして機能させることができる。
【００２８】
図５は、補強部材５５の第２の変形例にかかる平面図である。これは、図４のように補強部材５５を中間転写ベルト５０内周面に貼り付けるのではなく、図３のように中間転写ベルト５０の外周面に貼り付けて位置検出用マーカーと兼用したものである。この例においても補強部材５５ｃの反射率を中間転写ベルト５０に比して高くしている。また、中間転写ベルト５０のベルト駆動装置４５には、中間転写ベルト５０の幅方向の補強部材５５ｃが設けられている位置に対向するよう反射型フォトインタラプタ５６（図１参照）を設けている。
このように、補強部材５５ｃを中間転写ベルト５０の外周面に貼り付けている場合には、反射型フォトインタラプタ５６を中間転写ベルト５０の外側に設けることで、容易に中間転写ベルト５０の位置検出を行うようにすることができる。
【００２９】
ここで、複数のローラに張架された中間転写ベルト５０は、駆動される際にローラとローラとの間部分で上下方向に振動してばたついてしまうことがある。そして中間転写ベルトのばたつきは、中間転写ベルト５０に設けた補強部材５５と反射型フォトインタラプタ５６との間の距離に予期せぬ変動を起こし、中間転写ベルト５０の位置検出の精度を低下させてしまう恐れがある。次に、このような中間転写ベルト５０位置検出の精度の低下を防止できる構成について次に説明する。
【００３０】
図６は、補強部材５５の第３の変形例にかかるガイド５４継ぎ目部近傍の部分拡大図、図７は、同第３の変形例にかかる平面図である。図６において、補強部材５５ｄは図３と同様に中間転写ベルト５０の外周面側で継ぎ目部に対向する位置に貼り付けている。そして、第３の変形例においては、補強部材５５ｄに、中間転写ベルト５０表面移動方向に直交する方向の中間転写ベルト５０端部からはみ出す突起部ｔを設けている。また、この例においては、ベルト駆動装置４５に反射型フォトインタラプタ５６を設ける代わりに、中間転写ベルト５０の駆動に伴って移動する突起部ｔが、ある位置において上方と下方の両方向から所定の間隔をもって挟み込まれるようにした透過型フォトインタラプタ５７を設けている。この補強部材５５ｄは、透過型フォトインタラプタ５７の仕様を満足する程度に低い透過率のもので、例えば、黒の樹脂フィルム等を用いることが考えられる。
上記構成において、中間転写ベルト５０が駆動されて、透過型フォトインタラプタ５７のある位置に補強部材５５ｄの突起部ｔが到達すると、透過型フォトインタラプタ５７が突起部ｔを検出する。これによって、中間転写ベルト５０表面移動方向の位置を検出することができる。
【００３１】
上記第３の変形例によれば、透過型フォトインタラプタ５７を用いて突起部ｔを検出するので、中間転写ベルト５０駆動時にベルト表面が上下に振動してばたついても、多少の上下変位に影響されることなく精度良く中間転写ベルト５０表面移動方向の位置の検出を行うことができる。
【００３２】
図８は、第４の変形例にかかる平面図である。この補強部材５５ｄは図７ど同様に突起部ｔを有しているものであり、透過型フォトインタラプタ５７が突起部ｔを検出できるように設けられている。そして、図８においては、補強部材５５ｅを中間転写ベルト５０の内周面側に張り付け、更にその内周側にガイド５４の端部が乗り上げるようにしている。
上記構成によって、中間転写ベルト５０の上下変位に影響されることなく精度良く位置検出を行うことができると共に、補強部材５５ｅを剥がれにくくすることで補強部材５５ｅの耐久性を向上させることができる。
【００３３】
以上のように、複写機の中間転写ベルト５０に本発明を適用すると、中間転写ベルト５０の蛇行や寄りを防止しつつ、クラックの発生も防ぐことができるので、感光体ドラムから中間転写ベルト５０への一次転写及び中間転写ベルト５０に形成された重ね合わせ画像の転写紙への二次転写を良好に行うことができ、ずれやムラ等のない良好な画像を形成することができる。また、中間転写ベルト５０のクラックを防止できることから、中間転写ベルト５０の寿命を長くすることができる。
【００３４】
尚、本実施形態においては、複写機の中間転写ベルト５０に本発明を適用したが、このほか、感光体ドラム１０をベルト状にした感光体ベルトなど、表面に所定の物質を担持する担持体としてエンドレスベルトを使用しこのエンドレスベルトを所定の経路に沿って搬送するものに広く適用することができる。
【００３５】
【発明の効果】
請求項１のエンドレスベルトによれば、ガイドの継ぎ目部に対応するベルト部分にベルトの屈伸によるストレスが集中しないようにできるので、蛇行や寄りの発生を防止するためのガイドを設けたベルト駆動装置に用いるエンドレスベルトにおいて、ベルト駆動によるクラックの発生を防止できるという優れた効果がある。
また、これによって、エンドレスベルトの寿命が長くなるという優れた効果もある。
更に、補強部材とエンドレスベルトとの間への異物の浸入を防止できるので、補強部材が剥がれにくくなり、補強部材の耐久性を向上させることができるという優れた効果もある。
請求項２のベルト駆動装置によれば、エンドレスベルトの駆動によるクラックの発生を防止できるという優れた効果がある。
また、エンドレスベルトの寿命が長くなるので、ベルトの修理又は交換周期が長くなり、メインテナンスの費用が低減できるという優れた効果がある。
請求項３及び４のベルト駆動装置によれば、エンドレスベルトの補強部材の位置を検知することによって、エンドレスベルトのベルト表面移動方向における位置を検出できるので、位置検出用の検知部を別に設けるのに比して低コスト化を図ることができるという優れた効果がある。
請求項４のベルト駆動装置によれば、ベルト端部からはみ出した突起部を検知することによって、ベルト表面移動方向における位置を容易に検出することができるという優れた効果がある。
また、位置検知手段として透過型フォトインタラプタを用いて突起部を検知すれば、エンドレスベルトの駆動時にベルト表面が上下に波打ったりばたついたりしても、多少の上下変位に影響されることなく精度良く位置の検出を行うことができるという優れた効果がある。
請求項５の画像形成装置によれば、担持体の蛇行や寄りを防止しつつクラックの発生も防止できるので、担持体表面に担持している潜像や所定の物質を確実に搬送できるという優れた効果がある。
また、潜像や、所定の物質としての可視像や転写材を良好に次工程領域に搬送できるので、ずれやムラ等のない良好な画像を形成できるという優れた効果がある。
【００４１】
【図面の簡単な説明】
【図１】実施形態に係る湿式画像形成装置の要部の説明図。
【図２】中間転写ベルトの斜視図。
【図３】ガイドの継ぎ目部近傍の部分拡大図。
【図４】補強部材の第１の変形例にかかる平面図。
【図５】補強部材の第２の変形例にかかる平面図。
【図６】補強部材の第３の変形例にかかるガイド継ぎ目部近傍の部分拡大図。
【図７】補強部材の第３の変形例にかかる平面図。
【図８】補強部材の第４の変形例にかかる平面図。
【符号の説明】
１０      感光体ドラム
２０      帯電ローラ
３０      光書込ユニット
４０      現像ユニット
４０Ｂ    黒現像ユニット
４０Ｃ    シアン現像ユニット
４０Ｍ    マゼンタ現像ユニット
４０Ｙ    イエロー現像ユニット
４５      ベルト駆動装置
５０      中間転写ベルト
５１      中間転写ベルトクリーニングユニット
５４      ガイド
５５ａ、ｂ、ｃ、ｄ、ｅ      補強部材
５６      反射型フォトインタラプタ
５７      透過型フォトインタラプタ
６０      感光体ドラムクリーニングユニット
７０      二次転写ローラ
８０      給紙カセット
９０      定着ユニット
９１      排紙トレイ
ｔ        突起部
【図１】
0003837246.tif 000002
【図２】
0003837246.tif 000003
【図３】
0003837246.tif 000004
【図４】
0003837246.tif 000005
【図５】
0003837246.tif 000006
【図６】
0003837246.tif 000007
【図７】
0003837246.tif 000008
【図８】
0003837246.tif 000009